(57)【要約】【課題】通信ケーブルの測定作業を簡略化・迅速化し、作業労力の軽減を図ること。【解決手段】心線切替部１１１による通信ケーブル１００の一端の心線１０１ａの接続の切り替えを制御する制御部１１２を備えたケーブル測定装置（親機装置）１１０と、心線切替部１２１による通信ケーブル１００の他端の心線１０１ｂの接続の切り替えを制御する制御部１２２を備えたケーブル測定装置（子機装置）１２０と、親機装置１１０と子機装置１２０とが接続されるネットワーク１３０と、を有し、ネットワーク１３０を介して、親機装置１１０による心線１０１ａの接続の切り替えの制御に連動して、子機装置１２０による心線１０１ｂの接続の切り替えの制御をおこない、接続の切り替えが完了した通信ケーブル１００の心線１０１の測定をおこなう。【選択図】図１
2020101457.tif 000002
【特許請求の範囲】
【請求項１】
ケーブルの一端の心線の接続を切り替える第１の切替部と、
前記第１の切替部による前記ケーブルの一端の心線の接続の切り替えを制御する第１の制御部と、
前記ケーブルの他端の心線の接続の切り替えを制御する第２のケーブル測定装置へ、前記第１の制御部による前記ケーブルの一端の心線の接続の切り替えの制御に対応する、前記ケーブルの他端の心線の接続の切り替え指示に関する信号を送信する第１の通信部と、
接続の切り替えが完了した前記ケーブルの心線の測定をおこなう測定実行部と、
を備えたことを特徴とするケーブル測定装置。
【請求項２】
前記第１の通信部は、前記第２のケーブル測定装置から送信された、前記ケーブルの他端の心線の接続の切り替え完了に関する信号を受信することを特徴とする請求項１に記載のケーブル測定装置。
【請求項３】
前記測定実行部は、前記ケーブルの心線のループ抵抗を測定することを特徴とする請求項１または２に記載のケーブル測定装置。
【請求項４】
前記測定実行部は、前記ケーブルの心線の絶縁抵抗を測定することを特徴とする請求項１または２に記載のケーブル測定装置。
【請求項５】
前記測定実行部は、前記ケーブルの心線対照をおこなうことを特徴とする請求項１または２に記載のケーブル測定装置。
【請求項６】
ケーブルの一端の心線の接続を切り替える第１の切替部と、前記第１の切替部による前記ケーブルの一端の心線の接続の切り替えを制御する第１の制御部と、を備えた第１のケーブル測定装置と、
前記ケーブルの他端の心線の接続を切り替える第２の切替部と、前記第２の切替部による前記ケーブルの他端の心線の接続の切り替えを制御する第２の制御部と、を備えた第２のケーブル測定装置と、
前記第１のケーブル測定装置と前記第２のケーブル測定装置とが接続されるネットワークと、
を有し、
前記ネットワークを介して、前記第１の制御部による前記ケーブルの一端の心線の接続の切り替えの制御に連動して、前記第２の制御部による前記ケーブルの他端の心線の接続の切り替えの制御をおこない、
接続の切り替えが完了した前記ケーブルの心線の測定をおこなうことを特徴とするケーブル測定システム。
【請求項７】
前記第１のケーブル測定装置は、前記第１の制御部による前記ケーブルの一端の心線の接続の切り替えの制御に対応する前記第２の切替部による前記ケーブルの他端の心線の接続の切り替え指示に関する信号を、前記ネットワークを介して、前記第２のケーブル測定装置へ送信する第１の通信部を備え、
前記第２のケーブル測定装置は、前記第１の通信部によって送信された信号を受信する第２の通信部を備えたことを特徴とする請求項６に記載のケーブル測定システム。
【請求項８】
前記第２の通信部は、前記第２の切替部による前記ケーブルの他端の心線の接続の切り替え完了に関する信号を、前記ネットワークを介して、前記第１のケーブル測定装置へ送信し、
前記第１の通信部は、前記第２の通信部によって送信された信号を受信することを特徴とする請求項６または７に記載のケーブル測定システム。
【発明の詳細な説明】
【技術分野】
【０００１】
この発明は、通信ケーブルなどのケーブルの測定をおこなうケーブル測定装置およびケーブル測定システムに関する。
【背景技術】
【０００２】
通常、通信ケーブルなどのケーブルの新設工事や修理工事においては、施工後のケーブルの健全性を確認するため、心線対照、ループ抵抗測定、絶縁抵抗測定などの各種測定作業をおこなっている。
【０００３】
従来、このような測定作業は、測定の対象となるケーブルの両端に、それぞれ作業員を配置して、双方で連絡しながら測定をおこなう。したがって、測定のために対向で複数人の人員を必要とする。それらの作業員が電話などでコミュニケーションをとりながら、測定作業をおこなう。
【０００４】
また、このような各種測定作業にあっては、複数種類の測定器を使い分けて使用する必要がある。たとえば、ループ抵抗測定にはテスターを使用し、また、心線対照・絶縁抵抗測定には絶縁抵抗測定器（通称「メガー」）を使用するのが一般的である。
【０００５】
関連する技術として、たとえば、２つの心線接続端子に心線を接続しておき、１つのサグリ線接続端子にサグリ線を接続しておき、ロータリスイッチを切替えることで、順次、導通試験、導体抵抗試験、絶縁抵抗試験ができる回路の試験装置に関する技術がある（たとえば、下記特許文献１を参照。）。
【０００６】
また、関連する技術として、たとえば、被試験ケーブルの心線を２個のロータリスイッチの固定接点に電気接続し、ロータリスイッチの可動接点に電源部の両端子を接続すると、ロータリスイッチの切換え操作によって、すべての心線が相互に自由に組み合わされて電源部と電気接続される。これによって、対間短絡も相間短絡もロータリスイッチの操作だけで試験できるケーブルの試験装置に関する技術がある（たとえば、下記特許文献２を参照。）。
【先行技術文献】
【特許文献】
【０００７】
【特許文献１】特開２００３−３３７１５４号公報
【特許文献２】特開平８−５６９５号公報
【発明の概要】
【発明が解決しようとする課題】
【０００８】
しかしながら、たとえば絶縁抵抗測定では、測定端子をケーブルの心線の数すべてに付け替えて測定しなければならず、その都度、ケーブルの両端の作業員は、確認の上、切替作業をおこない、その後、測定し、また、切替作業をおこなうという作業を繰り返しおこなわなければならなかった。
【０００９】
これらの繰り返しの作業には、多くの時間を要したりして、作業員の労力の負担が大きくなっていた。特に、ケーブルは、長いものになると２０ｋｍ以上にも及び、遠隔地間でのコミュニケーションにより、通信事情などから、作業員はさらに多くの労力を要していた。
【００１０】
また、測定場所は屋内とは限らず、屋外、たとえば電柱の上であったり、マンホールの中だったりする場合もあり、複数の測定器の運搬や設置作業にも多くの時間と労力を要していた。
【００１１】
この発明は、上述した従来技術による問題点を解消するため、ケーブルの測定作業を簡略化・迅速化し、ケーブルの測定作業にかかる作業員の作業労力の軽減を図ることを目的とする。
【課題を解決するための手段】
【００１２】
上述した課題を解決し、目的を達成するため、この発明にかかるケーブル測定装置は、ケーブルの一端の心線の接続を切り替える第１の切替部と、前記第１の切替部による前記ケーブルの一端の心線の接続の切り替えを制御する第１の制御部と、前記ケーブルの他端の心線の接続の切り替えを制御する第２のケーブル測定装置へ、前記第１の制御部による前記ケーブルの一端の心線の接続の切り替えの制御に対応する、前記ケーブルの他端の心線の接続の切り替え指示に関する信号を送信する第１の通信部と、接続の切り替えが完了した前記ケーブルの心線の測定をおこなう測定実行部と、を備えたことを特徴とする。
【００１３】
また、この発明にかかるケーブル測定装置は、上記の発明において、前記第１の通信部が、前記第２のケーブル測定装置から送信された、前記ケーブルの他端の心線の接続の切り替え完了に関する信号を受信することを特徴とする。
【００１４】
また、この発明にかかるケーブル測定装置は、上記の発明において、前記測定実行部が、前記ケーブルの心線のループ抵抗を測定することを特徴とする。
【００１５】
また、この発明にかかるケーブル測定装置は、上記の発明において、前記測定実行部が、前記ケーブルの心線の絶縁抵抗を測定することを特徴とする。
【００１６】
また、この発明にかかるケーブル測定装置は、上記の発明において、前記測定実行部が、前記ケーブルの心線対照をおこなうことを特徴とする。
【００１７】
また、この発明にかかるケーブル測定システムは、ケーブルの一端の心線の接続を切り替える第１の切替部と、前記第１の切替部による前記ケーブルの一端の心線の接続の切り替えを制御する第１の制御部と、を備えた第１のケーブル測定装置と、前記ケーブルの他端の心線の接続を切り替える第２の切替部と、前記第２の切替部による前記ケーブルの他端の心線の接続の切り替えを制御する第２の制御部と、を備えた第２のケーブル測定装置と、前記第１のケーブル測定装置と前記第２のケーブル測定装置とが接続されるネットワークと、を有し、前記ネットワークを介して、前記第１の制御部による前記ケーブルの一端の心線の接続の切り替えの制御に連動して、前記第２の制御部による前記ケーブルの他端の心線の接続の切り替えの制御をおこない、接続の切り替えが完了した前記ケーブルの心線の測定をおこなうことを特徴とする。
【００１８】
また、この発明にかかるケーブル測定システムは、上記の発明において、前記第１のケーブル測定装置が、前記第１の制御部による前記ケーブルの一端の心線の接続の切り替えの制御に対応する前記第２の切替部による前記ケーブルの他端の心線の接続の切り替え指示に関する信号を、前記ネットワークを介して、前記第２のケーブル測定装置へ送信する第１の通信部を備え、前記第２のケーブル測定装置が、前記第１の通信部によって送信された信号を受信する第２の通信部を備えたことを特徴とする。
【００１９】
また、この発明にかかるケーブル測定システムは、上記の発明において、前記第２の通信部が、前記第２の切替部による前記ケーブルの他端の心線の接続の切り替え完了に関する信号を、前記ネットワークを介して、前記第１のケーブル測定装置へ送信し、前記第１の通信部が、前記第２の通信部によって送信された信号を受信することを特徴とする。
【発明の効果】
【００２０】
この発明にかかるケーブル測定装置およびケーブル測定システムによれば、ケーブルの測定作業を簡略化・迅速化し、ケーブルの測定作業にかかる作業員の作業労力を軽減することができるという効果を奏する。
【図面の簡単な説明】
【００２１】
【図１】この発明にかかる実施の形態のケーブル測定システムの概要の一例を示す説明図である。
【図２】心線切替部の構成の一例を示す説明図である。
【図３】この発明にかかる実施の形態のケーブル測定装置のハードウエア構成の一例を示すブロック図である。
【図４】この発明にかかる実施の形態のケーブル測定装置（親機装置）の機能的構成の一例を示すブロック図である。
【図５】この発明にかかる実施の形態のケーブル測定装置（子機装置）の機能的構成の一例を示すブロック図である。
【図６】この発明にかかる実施の形態のケーブル測定装置（親機装置および子機装置）の処理の手順の一例を示すフローチャートである。
【図７】ケーブル測定作業の手順の一例を示すフローチャートである。
【発明を実施するための形態】
【００２２】
以下に添付図面を参照して、この発明にかかるケーブル測定装置およびケーブル測定システムの好適な実施の形態を詳細に説明する。
【００２３】
（ケーブル測定システムの概要）
まず、ケーブル測定システムの概要について説明する。図１は、この発明にかかる実施の形態のケーブル測定システムの概要の一例を示す説明図である。図１において、ケーブルの一例である通信ケーブル１００は、たとえばメタルケーブルであって、複数本の心線からなる心線（群）を備えている（その心線（群）の通信ケーブル１００一端を「心線１０１ａ」、通信ケーブル１００の他端を「心線１０１ｂ」と呼ぶ）。
【００２４】
そして、通信ケーブル１００の一端には、ケーブル測定装置（親機装置）１１０が、一方で、通信ケーブル１００の他端には、ケーブル測定装置（子機装置）１２０が、それぞれ取り付けられている。親機装置１１０と子機装置１２０は、インターネットや電話回線などのネットワーク１３０を介して、有線または無線通信が可能となるように接続されている。
【００２５】
ケーブル測定装置（親機装置）１１０は、心線切替部１１１と、制御部１１２と、コネクタ１１３（コネクタ１１３ａ、１１３ｂ）と、通信部１１４と、を備えている。ここで、心線切替部１１１は、通信ケーブル１００の一端の心線１０１ａの接続を切り替える。制御部１１２は、心線切替部１１１による通信ケーブル１００の一端の心線１０１ａの接続の切り替えを制御する。コネクタ１１３は、心線切替部１１１と制御部１１２を着脱可能に接続する。通信部１１４は、ネットワーク１３０を経由して、子機装置１２０との通信をおこなう。
【００２６】
同様に、ケーブル測定装置（子機装置）１２０は、心線切替部１２１と、制御部１２２と、コネクタ１２３（コネクタ１２３ａ、１２３ｂ）と、通信部１２４と、を備えている。ここで、心線切替部１２１は、通信ケーブル１００の他端の心線１０１ｂの接続を切り替える。制御部１２２は、心線切替部１２１による通信ケーブル１００の他端の心線１０１ｂの接続の切り替えを制御する。コネクタ１２３は、心線切替部１２１と制御部１２２を着脱可能に接続する。通信部１２４は、ネットワーク１３０を経由して、親機装置１１０との通信をおこなう。
【００２７】
そして、親機装置１１０と子機装置１２０は、ネットワーク１３０を介して、親機装置１１０の制御部１１２による通信ケーブル１００の一端の心線１０１ａの接続の切り替えの制御に連動して、子機装置１２０の制御部１２２による通信ケーブル１００の他端の心線１０１ｂの接続の切り替えの制御をおこない、接続の切り替えが完了した通信ケーブル１００の心線の測定をおこなう。
【００２８】
具体的には、たとえば、親機装置１１０の通信部１１４は、制御部１１２による通信ケーブル１００の一端の心線１０１ａの切り替えの制御に対応する、子機装置１２０の心線切替部１２１による通信ケーブル１００の他端の心線１０１ｂの接続の切り替え指示に関する信号を、ネットワーク１３０を介して、子機装置１２０へ送信する。そして、子機装置１２０の通信部１２４は、親機装置１１０の通信部１１４によって送信された信号を受信する。
【００２９】
また、子機装置１２０の通信部１２４は、心線切替部１２１による通信ケーブル１００の他端の心線１０１ｂの接続の切り替え完了に関する信号を、ネットワーク１３０を介して、親機装置１１０へ送信する。そして、親機装置１１０の通信部１１４は、子機装置１２０の通信部１２４によって送信された信号を受信する。
【００３０】
このようにして、ケーブル測定装置（親機装置１１０および子機装置１２０）とネットワーク１３０によるケーブル測定システムを構築して、たとえば、通信ケーブル１００の心線のループ抵抗測定、心線の絶縁抵抗の測定、ケーブルの心線対照などの各種のケーブル測定作業を、コンピュータプログラムなどを用いて、迅速かつ簡易におこなうことができる。
【００３１】
（心線切替部の構成）
つぎに、心線切替部１１１、１２１の構成について説明する。図２は、心線切替部の構成の一例を示す説明図である。親機装置１１０における心線切替部１１１と子機装置１２０における心線切替部１２１の構成は同一であってもよく、また、それぞれ異なる構成であってもよい。図２では、心線切替部１１１と心線切替部１２１は同一の構成であるとして説明している。
【００３２】
図２においては、通信ケーブル１００の心線１０１は、心線切替部１１１（１２１）の１０カ所の接続端子１Ｌ１、１Ｌ２、２Ｌ１、２Ｌ２、・・・、５Ｌ１、５Ｌ２にそれぞれ接続される１０本から構成されている。心線１０１の数は、ケーブルの種類によって異なり、その数も様々である。通信ケーブルの心線１０１は、２本ずつが対をなしている。その対ごとに、１Ｌ１と１Ｌ２、２Ｌ１と２Ｌ２、・・・、５Ｌ１と５Ｌ２というように接続端子に接続する。
【００３３】
図２に示すように、心線切替部１１１（１２１）は、２つのコネクタ１１３ａ（１２３ａ）と、コネクタ１１３ｂ（１２３ｂ）に対応して、それぞれスイッチ（スイッチＡ、スイッチＢ）を備えている。スイッチＡ、Ｂは、たとえば、メカ的に切り替えるスイッチである。コネクタ１１３ａ（１２３ａ）に対応するスイッチＡは、制御部１１２（１２２）からの切替信号に基づいて切り替わることで、各心線１０１に接続された固定接点２００〜２０９のいずれかに電気接続する。
【００３４】
コネクタ１１３ｂ（１２３ｂ）に対応するスイッチＢは、制御部１１２（１２２）からの切替信号に基づいて切り替わることで、各心線１０１に接続された固定接点２１０〜２１９、あるいは、アースに接続された固定接点２２０のいずれかに電気接続する。
【００３５】
たとえば、スイッチＡが、固定接点２００に接続するように切り替えた場合に、接続端子１Ｌ１に接続された心線とつながり、コネクタ１１３ａ（１２３ａ）を介して、制御部１１２（１２２）と接続される。また、スイッチＢが、固定接点２１１に接続するように切り替えた場合に、接続端子１Ｌ２に接続された心線とつながり、コネクタ１１３ｂ（１２３ｂ）を介して、制御部１１２（１２２）と接続される。
【００３６】
ループ抵抗測定は、心線切替部１１１、１２１を以下のように切り替える。すなわち、子機装置１２０の心線切替部１２１において、スイッチＡが、固定接点２００に接続し、スイッチＢが、固定接点２１１に接続する。そして、子機装置１２０の制御部１２２の切替制御部５０１（後述する図５を参照）の内部において、接続端子１Ｌ１に接続された心線と接続端子１Ｌ２に接続された心線を短絡する。
【００３７】
そうすることによって、接続端子１Ｌ１に接続された心線と接続端子１Ｌ２に接続された心線がループを形成する。そこで、親機装置１１０の心線切替部１１１において、スイッチＡが、固定接点２００に接続し、スイッチＢが、固定接点２１１に接続し、制御部１１２の測定制御部４０１（後述する図４を参照）の内部において、測定処理をおこなうことによって、接続端子１Ｌ１・１Ｌ２に接続された、対となっている心線のループ抵抗を測定することができる。
【００３８】
また、同様に、心線切替部１１１、１２１の各スイッチＡが固定接点２０２、スイッチＢが固定接点２１３に接続することによって、接続端子２Ｌ１・２Ｌ２に接続された心線のループ抵抗を測定することができる。このように、順次、心線切替部１１１のスイッチＡ・スイッチＢ、心線切替部１２１のスイッチＡ・スイッチＢを同期して切り替えることによって、すべての心線のループ抵抗を自動で測定することができる。
【００３９】
また、心線対照は、接続する心線が正しいものであるか否かを確認する作業である。心線対照は、心線切替部１１１、１２１を以下のように切り替える。すなわち、子機装置１２０の心線切替部１２１のスイッチＡを固定接点２００〜２０９のいずれかに接続し、切替制御部５０１は、所定の負荷（信号）を接続した心線に供給する。
【００４０】
親機装置１１０の心線切替部１１１のスイッチＡは、固定接点２００、２０１、２０２、・・・２０９に順番に接続を切り替えて、当該所定の負荷を検出した心線を見つける。見つかった時点で、当該心線を対照の心線として判定し、以降の接続の切り替えはおこなわなくてもよい。また、誤判定を防ぐために、該当する心線が見つかっても、すべての心線に接続してから、該当する心線を判定するようにしてもよい。その後、子機装置１２０の心線切替部１２１のスイッチＡを別の固定接点に切り替えて、同じ作業を繰り返しおこなう。これにより、すべての心線の心線対照を自動でおこなうことができる。
【００４１】
また、線間の絶縁抵抗測定は、心線切替部１１１、１２１を以下のように切り替える。すなわち、心線切替部１１１、１２１のスイッチＡを固定接点２００に接続し、スイッチＢを固定接点２１１、２１２、２１３、・・・、２１９に順番に接続を切り替えて、その都度、絶縁抵抗値を測定する（全９回）。つぎに、スイッチＡの接続を固定接点２０１に切り替えて、スイッチＢを固定接点２１０、２１２、２１３、・・・、２１９に順番に接続を切り替えて、その都度、絶縁抵抗値を測定する。この処理を、固定接点２０２、２０３、２０４、・・・、２０９まで、繰り返しおこなう。
【００４２】
また、対地間の絶縁抵抗測定は、心線切替部１１１、１２１を以下のように切り替える。すなわち、心線切替部１１１、１２１のスイッチＢを、アースに接続されている固定接点２２０に接続し、スイッチＡを固定接点２００、２０１、２０２、・・・、２０９に順番に接続を切り替えて、その都度、絶縁抵抗値を測定する。
【００４３】
このように、心線切替部１１１、１２１の心線切替部１１１による心線１０１ａ、１０１ｂの接続の切り替えを連動して制御することで、各種測定作業を自動でおこなうことができる。
【００４４】
（ケーブル測定装置のハードウエア構成）
つぎに、この発明にかかる実施の形態のケーブル測定装置の構成について説明する。図３は、この発明にかかる実施の形態のケーブル測定装置のハードウエア構成の一例を示すブロック図である。
【００４５】
図３において、ケーブル測定装置（親機装置）１１０を実現するコンピュータ（パーソナルコンピュータやタブレット端末など情報処理装置）は、ＣＰＵ（Ｃｅｎｔｒａｌ  Ｐｒｏｃｅｓｓｉｎｇ  Ｕｎｉｔ）３０１と、メモリ３０２と、インタフェース（Ｉ／Ｆ）３０３と、入力装置３０４と、ディスプレイ３０５と、測定装置３０６と、通信インタフェース（通信Ｉ／Ｆ）３０７と、を備えている。コンピュータが備える各部３０１〜３０７は、バス３００によってそれぞれ接続されている。
【００４６】
ケーブル測定装置（子機装置）１２０を実現するコンピュータも、ケーブル測定装置（親機装置）１１０を実現するコンピュータと同様に、ＣＰＵ（Ｃｅｎｔｒａｌ  Ｐｒｏｃｅｓｓｉｎｇ  Ｕｎｉｔ）３０１と、メモリ３０２と、インタフェース（Ｉ／Ｆ）３０３と、測定装置３０６と、通信インタフェース（通信Ｉ／Ｆ）３０７と、を備えており、さらに、入力装置３０４と、ディスプレイ３０５を備えていてもよい。コンピュータが備える各部３０１〜３０７は、バス３００によってそれぞれ接続されている。
【００４７】
ＣＰＵ３０１は、コンピュータの全体の制御をつかさどる。メモリ３０２は、ブートプログラムなどのプログラムや各種データなどを記憶している。また、メモリ３０２は、ＣＰＵ３０１のワークエリアとして使用される。メモリ３０２は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）およびＨＤ（Ｈａｒｄ  Ｄｉｓｃ）などによって実現することができる。
【００４８】
Ｉ／Ｆ３０３は、心線切替部１１１あるいは心線切替部１２１との通信（制御信号のやりとり）をつかさどる。すなわち、心線切替部１１１あるいは心線切替部１２１へ切替指示に関するデータ（信号）を送信し、また、心線切替部１１１あるいは心線切替部１２１から、切替の状況に関するデータ（信号）を受信する。
【００４９】
入力装置３０４は、ケーブル測定装置の各種操作指示をおこなうほか、各種データの入力をおこなう。入力装置３０４は、各種スイッチやボタンを備えた操作パネルのほか、キーボード、ポインティングデバイス、タッチパネルであってもよい。また、ディスプレイ３０５は、切替の状態に関する情報や測定値に関する情報などを表示する液晶ディスプレイ、有機ＥＬディスプレイなどである。
【００５０】
測定装置３０６は、所定の信号や負荷を、切り替えられた心線に提供し、また、切り替えられた心線の状況を測定する。測定の種類や通信ケーブルの種類によって、提供される信号や負荷はあらかじめ定められている。また、測定の種類や通信ケーブルの種類によって、測定手順や想定方法も異なる。より具体的には、測定装置３０６は、測定用の電気回路、負荷供給用の電源回路やバッテリーなどを備える。
【００５１】
通信Ｉ／Ｆ３０７は、電話回線やインターネットなどのネットワーク１３０に接続され、コンピュータの内部と外部装置との有線あるいは無線の情報通信をつかさどる。より具体的には、ＬＡＮケーブル、無線ＬＡＮ、Ｗｉ−Ｆｉ、移動通信規格（３Ｇ、４Ｇ、５Ｇ）、ＰＨＳ回線などによる通信であってもよい。さらに、図示を省略するが、プリンタなどのデータの出力装置を備えていてもよい。
【００５２】
（ケーブル測定装置の機能的構成）
図４は、この発明にかかる実施の形態のケーブル測定装置（親機装置）の機能的構成の一例を示すブロック図であり、図５は、この発明にかかる実施の形態のケーブル測定装置（子機装置）の機能的構成の一例を示すブロック図である。図４において、ケーブル測定装置（親機装置）１１０は、測定制御部４０１と、操作部４０２と、データ管理部４０３と、表示部４０４と、を備える構成となっている。
【００５３】
図４において、測定制御部４０１は、心線切替部１１１による心線１０１ａの接続の切り替えを制御するとともに、接続の切り替えが完了した通信ケーブル１００の心線１０１ｂの測定をおこなう。測定制御部４０１の機能は、たとえば、ＣＰＵ３０１、メモリ３０２、測定装置３０６などによって実現することができる。
【００５４】
操作部４０２は、測定作業の作業員からの測定開始の要求を受け付ける。また、測定作業の種類に関する情報の入力を受け付ける。操作部４０２の機能は、たとえば、入力装置３０４などによって実現することができる。
【００５５】
データ管理部４０３は、通信ケーブル１００の測定作業に関する情報、たとえば、測定や接続の切替に必要なデータやプログラムなどを記憶する。具体的には、作業の種類ごとに、心線の接続の切り替え手順、測定手順に関する情報を記憶し、測定制御部４０１からのデータの参照があった場合に、必要なデータを、測定制御部４０１へ渡す。また、データ管理部４０３は、測定制御部４０１によって測定された測定結果に関するデータを記憶する。データ管理部４０３の機能は、たとえば、メモリ３０２などによって実現することができる。
【００５６】
表示部４０４は、測定作業の種類、作業手順、現在の作業の進捗、測定結果、測定結果の集計（一覧表など）、アラート情報などの各種情報を表示する。表示部４０４の機能は、たとえば、ディスプレイ３０５などによって実現することができる。
【００５７】
操作部４０２が、作業員からの測定開始の要求を受け付けると、測定制御部４０１は、まず、通信部１１４に対して、子機装置１２０へ測定開始の通知指示を出す。これにより、子機装置１２０との同期をとる。
【００５８】
その後、測定制御部４０１は、測定に必要な情報をデータ管理部４０３から抽出し、作業の手順に従って、心線切替部１１１への心線１０１ａの切り替え指示を送信するとともに、通信部１１４に対して、子機装置１２０への対応する切り替え指示に関する情報（信号）を渡す。そして、測定制御部４０１は、通信部１１４からの、子機情報１２０における切り替え完了の通知を受け取ると、その状態で測定処理を実行し、その測定結果を、データ管理部４０３へ渡す。
【００５９】
測定制御部４０１は、引き続き、作業手順に従って、同様に、心線切替部１１１への切り替え指示の送信と、通信部１１４に対して、切り替え指示に関する情報（信号）を渡す処理をおこない、その後、切り替え完了の通知を受け取って、測定処理を実行する。この一連の処理を、要求があった種類の測定が終わるまで繰り返しおこなう。その間の処理の状況や測定結果については、表示部４０４に表示する。
【００６０】
一方、図５において、ケーブル測定装置（子機装置）１２０は、切替制御部５０１を備える構成となっている。ここでは、親機装置１１０をメイン装置として、測定作業をおこなうことを想定しているため、子機装置１２０は、操作部４０２と、データ管理部４０３と、表示部４０４を備えてはいない。しかしながら、図５においては、図示は省略するが、子機装置１２０も、親機装置１１０と同様に、図４に示した、操作部４０２と、データ管理部４０３と、表示部４０４と、を備えていてもよい。また、親機装置１１０を２台用意して、それぞれ、通信ケーブル１００の一端と他端に配置するようにしてもよい。その場合は、子機装置１２０は不要となる。
【００６１】
図５において、切替制御部５０１は、心線切替部１２１による心線１０１ｂの接続の切り替えを制御する。さらには、親機装置１１０の測定制御部４０１とともに、接続の切り替えが完了した通信ケーブル１００の心線１０１の測定処理をおこなう。具体的には、上述のように、接続した心線１０１に対して、所定の負荷を提供したりする。切替制御部５０１の機能は、たとえば、ＣＰＵ３０１、メモリ３０２、測定装置３０６などによって実現することができる。
【００６２】
子機装置１２０の通信部１２４が、親機装置１１０からの測定開始の通知を受信することで、親機装置１１０との同期をとる。その後、通信部１２４が、切り替え指示に関する情報（信号）を受信すると、切替制御部５０１は、受信した情報（信号）に基づいて、心線切替部１２１への心線１０１ｂの切り替え指示（制御信号）を送信する。つぎに、切替制御部５０１は、通信部１２４に対して、切り替えが完了した旨の通知をするように指示する。そして、切替制御部５０１は、測定処理を実行する。この一連の処理を、通信部１２４が、親機装置１１０から測定終了の通知を受信するまで、繰り返しおこなう。
【００６３】
（ケーブル測定装置およびケーブル測定システムの処理の手順）
つぎに、この発明にかかる実施の形態の越流量調整方法の処理の手順について説明する。図６は、この発明にかかる実施の形態のケーブル測定装置（親機装置および子機装置）の処理の手順の一例を示すフローチャートである。図６において、左側のフローチャート（ａ）が、親機装置１１０の処理の手順を示しており、右側のフローチャート（ｂ）が、子機装置１２０の処理の手順を示している。そして、フローチャート（ａ）とフローチャート（ｂ）中央の矢印は、それぞれ、親機装置１１０から子機装置１２０へ、あるいは子機装置１２０から親機装置１１０へのデータの流れを示している。
【００６４】
フローチャート（ａ）において、親機装置１１０は、操作部４０２からの測定開始の要求があったか否かを判断する（ステップＳ６１１）。ここで、測定開始の要求を待って（ステップＳ６１１：Ｎｏ）は、測定開始の要求があった場合（ステップＳ６１１：Ｙｅｓ）は、子機装置１２０へ、通信部１１４から、ネットワーク１３０を介して、測定開始を通知する（ステップＳ６１２）。その際、子機装置１２０へは、開始する測定の種類（心線対照、ループ抵抗測定、絶縁抵抗測定のいずれであるか）に関する情報もあわせて通知するようにしてもよい。
【００６５】
つぎに、心線切替部１１１へ、最初の測定のための切り替え指示をおこなう（ステップＳ６１３）。そして、子機装置１２０へ、最初の測定のための切り替えに対応する切り替え指示を送信する（ステップＳ６１４）。その後、子機装置１２０から、切り替え完了の通知があったか否かを判断する（ステップＳ６１５）。ここで、切り替え完了の通知を待って（ステップＳ６１５：Ｎｏ）、切り替え完了の通知があった場合（ステップＳ６１５：Ｙｅｓ）は、測定処理をおこなう（ステップＳ６１６）。具体的には、測定値を計測し、計測した測定値を記録する。
【００６６】
測定処理が終了した後、つぎに、すべての切り替えが終わったか否かを判断する（ステップＳ６１７）。ここで、すべての切り替えが終わっていない場合（ステップＳ６１７：Ｎｏ）は、心線切替部１１１へ、つぎの測定のための切り替え指示をおこなう（ステップＳ６１８）。その後、ステップＳ６１４へ移行し、つぎの測定のための切り替えに対応する切り替え指示を送信する（ステップＳ６１４）。以後、ステップＳ６１４〜Ｓ６１８を繰り返し実行する。
【００６７】
そして、ステップＳ６１７において、すべての切り替えが終わった場合（ステップＳ６１７：Ｙｅｓ）は、子機装置１２０へ、測定終了を通知して（ステップＳ６１９）、一連の処理を終了する。同じ通信ケーブル１００において、別の種類の測定をおこなう場合は、再度、ステップＳ６１１から始めるようにするとよい。
【００６８】
つぎに、フローチャート（ｂ）において、子機装置１２０は、親機装置１１０から、（親機装置１１０がステップＳ６１２においておこなった）測定開始の通知があったか否かを判断する（ステップＳ６２１）。ここで、測定開始の通知があるのを待って（ステップＳ６２１：Ｎｏ）、測定開始の通知があった場合（ステップＳ６２１：Ｙｅｓ）は、つぎに、親機装置１１０から、（親機装置１１０がステップＳ６１４において送信した）切り替え指示を受信したか否かを判断する（ステップＳ６２２）。
【００６９】
ステップＳ６２２において、切り替え指示を受信した場合（ステップＳ６２２：Ｙｅｓ）は、心線切替部１２１へ、受信した切り替え指示に基づく、測定のための切り替え指示をおこなう（ステップＳ６２３）。さらに、切り替えられた心線に対して、測定の種類に応じて、所定の信号を供給したり、あるいは、所定の負荷を供給する。
【００７０】
そして、親機装置１１０へ、切り替え完了（さらには、信号・負荷の供給開始）を通知する（ステップＳ６２４）。親機装置１１０は、ステップＳ６１５において、この切り替え完了の通知があったか否かを判断している。
【００７１】
子機装置１２０は、その後、ステップＳ６２５へ移行する。一方、ステップＳ６２２において、切り替え指示を受信していない場合（ステップＳ６２２：Ｎｏ）は、何もせずに、ステップＳ６２５へ移行する。
【００７２】
ステップＳ６２５において、子機装置１２０は、親機装置１１０から、（親機装置１１０がステップＳ６１９においておこなった）測定終了の通知があったか否かを判断する（ステップＳ６２５）。ここで、測定終了の通知がない場合（ステップＳ６２５：Ｎｏ）は、ステップＳ６２２へ戻り、親機装置１１０から、つぎの切り替え指示の受信を待つ。このようにして、ステップＳ６２２〜Ｓ６２５を繰り返し実行する。そして、ステップＳ６２５において、親機装置１１０から、（親機装置１１０がステップＳ６１９においておこなった）測定終了の通知があった場合（ステップＳ６２５：Ｙｅｓ）は、一連の処理を終了する。
【００７３】
このように処理することで、切り替え操作を人手を介すことなく自動でおこなうことができ、迅速な測定処理を実行することができる。
【００７４】
（ケーブル測定作業の手順）
つぎに、作業員が実行するケーブル測定作業の手順について説明する。図７は、ケーブル測定作業の手順の一例を示すフローチャートである。
【００７５】
図７のフローチャートにおいて、施工後の通信ケーブル１００の一端に親機装置１１０を配置し、親機装置１１０の心線切替部１１１を通信ケーブル１００の各心線１０１ａに接続する（ステップＳ７０１）。そして、親機装置１１０の心線切替部１１１と測定制御部４０１をコネクタ１１３で接続する（ステップＳ７０２）。
【００７６】
また、当該通信ケーブル１００の他端に子機装置１２０を配置し、子機装置１２０の心線切替部１２１を通信ケーブル１００の各心線１０１ｂに接続する（ステップＳ７０３）。そして、子機装置１２０の心線切替部１２１と切替制御部５０１をコネクタ１２３で接続する（ステップＳ７０４）。この親機装置１１０の通信ケーブル１００への接続と子機装置１２０の通信ケーブル１００への接続は、どちらを先におこなってもよく、また、別々の作業員がこれらの接続を同時進行でおこなうようにしてもよい。
【００７７】
つぎに、親機装置１１０と子機装置１２０との各通信部１１４、１２４による通信を確立する（ステップＳ７０５）。具体的には、たとえば、親機装置１１０の通信部１１４と、子機装置１２０の通信部１２４を、それぞれ、ネットワーク１３０に接続し、互いに通信ができるようにする。
【００７８】
その後、各種測定を開始する（ステップＳ７０６）。これは、上述の図６のフローチャート（ａ）およびフローチャート（ｂ）において説明したとおりである。そして、測定処理が終了した後、測定結果の検証をおこない（ステップＳ７０７）、検証した測定結果に異常があるか否かを判断する（ステップＳ７０８）。この検証および判断は、作業員の確認によりおこなうようにしてもよく、測定結果が所定の基準のしきい値の範囲を超えている場合に、ケーブル測定装置１１０の制御部１１２が、自動で通報するようにしてもよい。
【００７９】
ここで、異常があると判断された場合（ステップＳ７０８：Ｙｅｓ）は、異常箇所を特定するとともに、その異常を解消すべく対応処理をおこない（ステップＳ７０９）、その後、ステップＳ７０６へ戻る。これらのステップＳ７０６〜Ｓ７０９の一連の処理を繰り返しおこなう。
【００８０】
そして、ステップＳ７０８において、異常がないと判断された場合（ステップＳ７０８：Ｎｏ）は、測定作業は終了したので、まずは、親機装置１１０と子機装置１２０との各通信部１１４、１２４による通信を切断する（ステップＳ７１０）。その後、親機装置１１０を通信ケーブル１００の一端から取り外して撤収する（ステップＳ７１１）。同様に、子機装置１２０を通信ケーブル１００の他端から取り外して撤収する（ステップＳ７１２）。この親機装置１１０の撤収と子機装置１２０の撤収は、接続と同様に、どちらを先におこなってもよく、また、別々の作業員がこれらの撤収を同時進行でおこなうようにしてもよい。これにより、すべての作業を終了する。
【００８１】
以上説明したように、この発明にかかる実施の形態のケーブル測定装置は、通信ケーブル１００（ケーブル）の一端の心線１０１ａの接続を切り替える心線切替部１１１（第１の切替部）と、心線切替部１１１による通信ケーブル１００の一端の心線１０１ａの接続の切り替えを制御する測定制御部４０１（第１の制御部）と、通信ケーブル１００の他端の心線１０１ｂの接続の切り替えを制御する子機装置１２０（第２のケーブル測定装置）へ、測定制御部４０１による通信ケーブル１００の一端の心線１０１ａの接続の切り替えの制御に対応する、通信ケーブル１００の他端の心線１０１ｂの切り替え指示に関する信号を送信する通信部１１４（第１の通信部）と、接続の切り替えが完了したケーブルの心線の測定をおこなう測定制御部４０１（測定実行部）と、を備える。
【００８２】
これにより、人手によらず、自動で、他端の心線１０１ｂの切り替え処理をすることができ、より迅速で正確な測定作業をおこなうことができる。また、測定作業にかかる作業員の労力を軽減することができる。
【００８３】
また、この発明にかかるケーブル測定装置は、通信部１１４（第１の通信部）が、子機装置１２０（第２のケーブル測定装置）から送信された、通信ケーブル１００の他端の心線１０１ｂの接続の切り替え完了に関する信号を受信するので、親機装置１１０において、心線１０１ｂの接続の切り替え状況を正確に把握した上で、測定作業をおこなうことができ、測定作業における誤操作ならびに誤動作を確実に防止することができる。
【００８４】
また、この発明にかかるケーブル測定装置は、測定制御部４０１（測定実行部）が、通信ケーブル１００の心線１０１のループ抵抗の測定、心線の絶縁抵抗の測定、ケーブルの心線対照の少なくともいずれかをおこなうので、ケーブルの試験に必要な各種測定作業に対応することができ、ケーブルの測定作業を簡略化することができる。測定ごとに複数種類の測定装置を用意して、それぞれを取り替えて設定しなくて済むので、屋外での作業などにおいては、特に作業者の労力を軽減することができる。
【００８５】
また、この発明にかかるケーブル測定システムは、通信ケーブル１００の一端の心線１０１ａの接続を切り替える心線切替部１１１（第１の切替部）と、心線切替部１１１による通信ケーブル１００の一端の心線１０１ａの接続の切り替えを制御する測定制御部４０１（第１の制御部）と、を備えた親機装置１１０（第１のケーブル測定装置）と、通信ケーブル１００の他端の心線１０１ｂの接続を切り替える心線切替部１２１（第２の切替部）と、心線切替部１２１（第２の切替部）による通信ケーブル１００の他端の心線１０１ｂの接続の切り替えを制御する切替制御部５０１（第２の制御部）と、を備えた子機装置１２０（第２のケーブル測定装置）と、親機装置１１０と子機装置１２０とが接続されるネットワーク１３０と、を有し、ネットワーク１３０を介して、測定制御部４０１による通信ケーブルの一端の心線１０１ａの接続の切り替えの制御に連動して、切替制御部５０１による通信ケーブル１００の他端の心線１０１ｂの接続の切り替えの制御をおこない、接続の切り替えが完了した通信ケーブル１００の心線１０１の測定をおこなう。
【００８６】
この発明にかかるケーブル測定システムは、具体的には、たとえば、親機装置１１０（第１のケーブル測定装置）が、測定制御部４０１（第１の制御部）による通信ケーブル１００の一端の心線１０１ａの接続の切り替えの制御に対応する、心線切替部１２１（第２の切替部）による通信ケーブル１００の他端の心線１０１ｂの接続の切り替え指示に関する信号を、ネットワーク１３０を介して、子機装置１２０（第２のケーブル測定装置）へ送信する通信部１１４（第１の通信部）を備え、子機装置１２０が、通信部１１４によって送信された信号を受信する通信部１２４（第２の通信部）を備える。
【００８７】
また、この発明にかかるケーブル測定システムは、具体的には、たとえば、子機装置１２０（第２の通信部）が、心線切替部１２１（第２の切替部）による通信ケーブル１００の他端の心線１０１ｂの接続の切り替え完了に関する信号を、ネットワーク１３０を介して、親機装置１１０（第１のケーブル測定装置）へ送信し、通信部１１４（第１の通信部）が、通信部１２４（第２の通信部）によって送信された信号を受信する。
【００８８】
これにより、通信ケーブル１００の両端に配置された作業員どうしが、電話などによって頻繁にコミュニケーションなどをとらなくても、円滑かつ迅速な測定作業をおこなうことができる。したがって、通信ケーブル１００の両端に配置された作業員どうしのコミュニケーションは必要最小限で済む。あるいは、自動化により、子機装置１２０側には、作業員を配置しなくてもよい。
【００８９】
また、ネットワーク１３０を備えているので、親機装置１１０および子機装置１２０を設置しておけば、ケーブル設置場所（現場）から離れた場所からネットワーク１３０を介して、遠隔操作により、親機装置１１０を操作して測定作業をおこなうこともできる。
【産業上の利用可能性】
【００９０】
以上のように、この発明にかかるケーブル測定装置およびケーブル測定システムは、通信ケーブルなどのケーブルの測定をおこなうケーブル測定装置およびケーブル測定システムに有用であり、特に、ケーブルの測定作業を簡略化・迅速化し、作業労力の軽減を図るケーブル測定装置およびケーブル測定システムに適している。
【符号の説明】
【００９１】
１００  通信ケーブル
１０１（１０１ａ、１０１ｂ）  心線
１１０  ケーブル測定装置（親機装置）
１１１  心線切替部
１１２  制御部
１１３（１１３ａ、１１３ｂ）  コネクタ
１１４  通信部
１２０  ケーブル測定装置（子機装置）
１２１  心線切替部
１２２  制御部
１２３（１２３ａ、１２３ｂ）  コネクタ
１２４  通信部
１３０  ネットワーク
２００〜２２０  固定接点
４０１  測定制御部
４０２  操作部
４０３  データ管理部
４０４  表示部
５０１  切替制御部
１Ｌ１〜５Ｌ２  接続端子
【図１】
2020101457.tif 000003
【図２】
2020101457.tif 000004
【図３】
2020101457.tif 000005
【図４】
2020101457.tif 000006
【図５】
2020101457.tif 000007
【図６】
2020101457.tif 000008
【図７】
2020101457.tif 000009